(57)【特許請求の範囲】
【請求項１】
上面が開口した収納箱（１）と、その上面開口部（１ａ）を覆う蓋体（２）と、主成分がシリコーンゴムで成形されたシリコーン長尺物（Ａ）と、シリコーンゴムと剥離性に優れた材料からなる被覆シート（３）とを備え、上記シリコーン長尺物（Ａ）の梱包時には、該シリコーン長尺物（Ａ）を環状に巻き付け、被覆シート（３）上に載せてその上側から開閉されるように包み込み、この包みと、シリコーンゴムと剥離性に優れた材料からなる複数枚の小分け袋（４）とを収納箱（１）の内部（１ｂ）に収納して蓋体（２）で被蓋し、シリコーン長尺物（Ａ）の切断時には蓋体（２）を取り外し、収納箱（１）内で被覆シート（３）を上側から開けてシリコーン長尺物（Ａ）を露出させ、この露出状態でシリコーン長尺物（Ａ）を切断すると共に、この切断されたシリコーン長尺物（Ａ）の小分け部（Ａ′）を小分け袋（４）に入れることを特徴とするシリコーン長尺物の梱包形態。
【請求項２】
上面が開口した収納箱（１）と、その上面開口部（１ａ）を覆う蓋体（２）と、主成分がシリコーンゴムで成形されたシリコーン長尺物（Ａ）と、シリコーンゴムと剥離性に優れた材料からなる被覆シート（３）とを備え、上記シリコーン長尺物（Ａ）を、放射方向へ渦巻き状に巻き付けると共に次の列を上記第一列目の渦巻き方向と内外逆向きの渦巻き状に交互に巻き付けて、所定長さずつ複数列のレコード巻き部（Ａ１，Ａ２，Ａ３…）を形成し、これらを被覆シート（３）の開口側へ向け積み重ねると共に、シリコーン長尺物（Ａ）の外表面には、被覆シート（３）の開口側へ向けて検尺マーク（５）を所定間隔毎に印字し、該シリコーン長尺物（Ａ）の梱包時には、被覆シート（３）上に載せてその上側から開閉されるように包み込み、この包みを収納箱（１）の内部（１ｂ）に収納して蓋体（２）で被蓋し、シリコーン長尺物（Ａ）の切断時には蓋体（２）を取り外し、収納箱（１）内で被覆シート（３）を上側から開けてシリコーン長尺物（Ａ）を露出させ、この露出状態でシリコーン長尺物（Ａ）を切断することを特徴とするシリコーン長尺物の梱包形態。
【発明の詳細な説明】
【０００１】
【発明の属する技術分野】
本発明は、例えばシリコーンホースやシリコーンチューブなどの主成分がシリコーンで成形されたシリコーン長尺物、特に食品用や医療用や理化学用として使用される極めて衛生的に管理する必要があるシリコーン長尺物の梱包形態に関する。
詳しくは、環状に巻き取ったシリコーン長尺物を必要な長さ分だけ切断し、小分けして販売するシリコーン長尺物の梱包形態に関する。
【０００２】
【従来の技術】
従来、この種のシリコーンホースは、一般的な合成樹脂製ホースと同じく環状に巻き付けて梱包されるが、その主成分のシリコーンゴムは粘性があって、静電気によりホコリや汚れなどの異物が付着し易い性質があるため、環状に巻き付けたままの状態でビニール袋に入れて密封し、更に必要に応じてダンボール箱に入れた状態で輸送し、在庫管理していた。
そして、購入者が希望する長さで販売する際には、環状のシリコーンホースをダンボール箱及びビニール袋の内部からテーブルなどの外部へ取り出して巻き戻し、メジャーにより計測して必要な長さ分だけ切断し、この切断した小分け部を購入者に手渡すと共に、残った環状のシリコーンホースをビニール袋及びダンボール箱に再度収納して保管していた。
【０００３】
【発明が解決しようとする課題】
しかし乍ら、このような従来のシリコーン長尺物の梱包形態では、環状のシリコーン長尺物をダンボール箱及びビニール袋の内部から外部へ取り出して切断するため、取り出したシリコーン長尺物がテーブルなどに置いただけでも、そこが衛生的に保たれていない場合には、ホコリや汚れなどの異物が付着する恐れがあると共に、切断したシリコーン長尺物の小分け部にも同様にホコリや汚れなどの異物が付着する恐れがあり、これらシリコーン長尺物を衛生的に保てず、切断後に洗浄する必要があるという問題がある。
これを防止するには、切断前のシリコーン長尺物や切断した小分け部が置かれるテーブルなどを塵一つ無い清潔な状態になるまで清掃するか、或いはシリコーン長尺物が何も触れないように空中で保持しながら巻き戻して切断しなければならず、どれらにしても作業が大変で非常に面倒であり、その作業性に劣るという問題がある。
【０００４】
本発明のうち請求項１記載の発明は、梱包状態でシリコーン長尺物にホコリや汚れなどの異物が付着するのを完全に防止しながら、切断した小分け部及び残ったシリコーン長尺物にホコリや汚れなどの異物が付着するのを完全に防止すると共に、切断した小分け部にホコリや汚れなどの異物が付着せずに外部へ取り出すことを目的としたものである。
請求項２記載の発明は、梱包状態でシリコーン長尺物にホコリや汚れなどの異物が付着するのを完全に防止しながら、切断した小分け部及び残ったシリコーン長尺物にホコリや汚れなどの異物が付着するのを完全に防止すると共に、シリコーン長尺物を容易に切断することを目的としたものである。
【０００５】
【課題を解決するための手段】
前述した目的を達成するために、本発明のうち請求項１記載の発明は、上面が開口した収納箱１と、その上面開口部１ａを覆う蓋体２と、主成分がシリコーンゴムで成形されたシリコーン長尺物Ａと、シリコーンゴムと剥離性に優れた材料からなる被覆シート３及び小分け袋４とを備え、上記シリコーン長尺物Ａの梱包時には、該シリコーン長尺物Ａを環状に巻き付け、被覆シート３上に載せてその上側から開閉されるように包み込み、この包みと、シリコーンゴムと剥離性に優れた材料からなる複数枚の小分け袋４とを収納箱１の内部１ｂに収納して蓋体２で被蓋し、シリコーン長尺物Ａの切断時には蓋体２を取り外し、収納箱１内で被覆シート３を上側から開けてシリコーン長尺物Ａを露出させ、この露出状態でシリコーン長尺物Ａを切断すると共に、この切断されたシリコーン長尺物Ａの小分け部Ａ′を小分け袋４に入れることを特徴とするものである。
請求項２記載の発明は、上面が開口した収納箱１と、その上面開口部１ａを覆う蓋体２と、主成分がシリコーンゴムで成形されたシリコーン長尺物Ａと、シリコーンゴムと剥離性に優れた材料からなる被覆シート３とを備え、上記シリコーン長尺物Ａを、放射方向へ渦巻き状に巻き付けると共に次の列を上記第一列目の渦巻き方向と内外逆向きの渦巻き状に交互に巻き付けて、所定長さずつ複数列のレコード巻き部Ａ１，Ａ２，Ａ３…を形成し、これらを被覆シート３の開口側へ向け積み重ねると共に、シリコーン長尺物Ａの外表面には、被覆シート３の開口側へ向けて検尺マーク５を所定間隔毎に印字し、該シリコーン長尺物Ａの梱包時には、上記被覆シート３上に載せてその上側から開閉されるように包み込み、この包みを収納箱１の内部１ｂに収納して蓋体２で被蓋し、シリコーン長尺物Ａの切断時には蓋体２を取り外し、収納箱１内で被覆シート３を上側から開けてシリコーン長尺物Ａを露出させ、この露出状態でシリコーン長尺物Ａを切断することを特徴とする。
【０００６】
【作用】
請求項１の発明は、梱包時には環状のシリコーン長尺物Ａを剥離性に優れた被覆シート３で包み込み、収納箱１の内部１ｂに収納して蓋体２で被蓋することにより、シリコーン長尺物Ａが二重梱包され、また切断時には蓋体２を取り外し、収納箱１内で被覆シート３を上側から開けてシリコーン長尺物Ａを露出させ、この露出状態でシリコーン長尺物Ａを切断すると共に、残ったシリコーン長尺物Ａを被覆シート３で再度梱包し直すことにより、収納箱１内からシリコーン長尺物Ａを外へ出さずに切断作業が行え、しかも残ったシリコーン長尺物Ａが収納箱１外の雰囲気に触れないものである。
更に、前記シリコーン長尺物Ａの梱包時に、シリコーンゴムと剥離性に優れた材料からなる小分け袋４を複数枚、被覆シート３で包まれたシリコーン長尺物Ａと一緒に収納箱１の内部１ｂに収納し、シリコーン長尺物Ａの切断時には、切断されたシリコーン長尺物Ａの小分け部Ａ′を小分け袋４に入れる構成を追加したので、切断された小分け部Ａ′を、収納箱１内に収納される剥離性に優れた小分け袋４に入れることにより、小分け部Ａ′が収納箱１外の雰囲気に触れることなく小分けされる。
請求項２の発明は、前記シリコーン長尺物Ａを、放射方向へ渦巻き状に巻き付けると共に次の列を上記第一列目の渦巻き方向と内外逆向きの渦巻き状に交互に巻き付けて、所定長さずつ複数列のレコード巻き部Ａ１，Ａ２，Ａ３…を形成し、これらを被覆シート３の開口側へ向け積み重ねると共に、シリコーン長尺物Ａの外表面には、被覆シート３の開口側へ向けて検尺マーク５を所定間隔毎に印字した構成を追加したので、収納箱１内で被覆シート３を上側から開けることにより、最上位のレコード巻き部Ａ１全体と、それに印字した検尺マーク５が隠れずに露出し、この検尺マーク５に基づいて切断すれば、シリコーン長尺物Ａがメジャーで計測せずに切断可能となる。
【０００７】
【発明の実施の形態】
以下、本発明の実施例を図面に基づいて説明する。
この実施例は、図１（ａ）（ｂ）及び図２に示す如く、平面矩形の収納箱１に対して、その上面開口部１ａを覆う蓋体２が分離可能に別々に形成され、例えばシリコーンホースやシリコーンチューブなどのシリコーン長尺物Ａを、矩形の透明な被覆シート３で風呂敷状に包み込み、この包みと複数枚の小分け袋４…を収納箱１の内部空間１ｂに収納した場合を示したものである。
【０００８】
上記収納箱１及び蓋体２は、例えば段ボールなどの軽量で変形し難い材料で互いに嵌合するように形成され、その周囲を折り重ねるなどして夫々を略同じ厚み寸法にすることにより、それらの強度を高めて潰れ防止する。
【０００９】
本実施例の場合には、収納箱１に蓋体２を被せた状態で、図１（ａ）に示す如く蓋体２の下端縁２ａが収納箱１の底面位置より若干高くなるようにして手を掛け易くするか、或いは図示せぬが蓋体２の下端縁２ａに略円弧状の手掛け凹部を一対凹設しても良い。
【００１０】
上記被覆シート３と、切断されたシリコーン長尺物Ａの小分け部Ａ′を入れるための小分け袋４は、前記シリコーン長尺物Ａの主成分であるシリコーンゴムと剥離性（離型性）に優れた例えば低密度ポリエチレンや高密度ポリエチレンなどの透明材料からなる。
【００１１】
本実施例では、被覆シート３を透明性と剥離性（離型性）に優れた低密度ポリエチレンで矩形に形成し、小分け袋４を透明性が若干劣るものの剥離性（離型性）が優れた高密度ポリエチレンで袋状に形成している。
【００１２】
なお、この小分け袋４の開口部には、図示せぬが何度でも開閉自在な雄雌一対のチャックを対向して固着し、これらチャックを指で押圧して互いに嵌合させることにより、小分け袋４の開口部を密閉させても良い。
更に、必要に応じて小分け袋４の中に、図示せぬが予めシリコーン長尺物Ａの取扱説明書を各袋に一枚ずつ入れて、その情報が顧客に伝わるようにしても良い。
【００１３】
そして、後述するシリコーン長尺物Ａの梱包時には、被覆シート３が収納箱１の上面開口部１ａを覆うように広げられ、小分け袋４はシリコーン長尺物Ａの切断に伴う小分け数に相当する枚数だけ用意され、被覆シート３で包まれたシリコーン長尺物Ａと一緒に、蓋体２で被蓋された収納箱１内に収納される。
【００１４】
一方、前記シリコーン長尺物Ａは、その梱包時において手巻き又は機械巻きによりボビンなどの巻き芯なしで所定長さずつ複数列にレコード巻き（段巻き又は平巻き）され、複数列のレコード巻き部Ａ１，Ａ２，Ａ３…を形成し、これらレコード巻き部Ａ１，Ａ２，Ａ３…を前記被覆シート３の開口側、即ち上方へ向けて積み重ねて配置する。
【００１５】
この「レコード巻き」とは、図２に示す如く、その所定長さ分を放射方向へ渦巻き状に巻き付けて第一列目のレコード巻き部Ａ１を形成した後に、その末端から上記第一列目のレコード巻き部１の渦巻き方向と内外逆向きの渦巻き状に巻き付けて第二列目のレコード巻き部２を積み重ねて形成し、それ以降は同様に内外逆向きの渦巻き状に交互に巻き付けて第三列目以降のレコード巻き部Ａ３，Ａ４…を、順次積み重ねたものである。
【００１６】
また、少なくとも出荷時には、図１（ａ）（ｂ）に示す如く、複数列のレコード巻き部Ａ１，Ａ２，Ａ３…の荷崩れを防止するために、これらレコード巻き部Ａ１，Ａ２，Ａ３…の円周方向数ヶ所を紐やバンドなどの結束手段Ｂで結束することが好ましい。
【００１７】
更に、前記シリコーン長尺物Ａの外表面には、検尺マーク５を所定間隔毎に印字し、これら検尺マーク５…を上記被覆シート３の開口側、即ち上方へ向けて夫々配置する。
【００１８】
次に、斯かるシリコーン長尺物Ａの梱包形態におけるシリコーン長尺物Ａの梱包方法及び切断方法について説明する。
先ず、シリコーン長尺物Ａの梱包時には、図１（ａ）に示す如く、シリコーン長尺物Ａを環状に巻き付け、収納箱１の上面開口部１ａ上で広げられた被覆シート３の中心位置に載せ、この剥離性に優れた被覆シート３により包みながらその四隅部３ａ…を結んで風呂敷状に包み込み、この包みと複数枚の小分け袋４…を収納箱１の内部空間１ｂに収納して蓋体２で被蓋する。
【００１９】
それにより、シリコーン長尺物Ａが被覆シート３と収納箱１及び蓋体２で二重梱包される。
その結果、梱包状態でシリコーン長尺物Ａにホコリや汚れなどの異物が付着するのを完全に防止できる。
しかも被覆シート３は剥離性に優れるから、シリコーン長尺物Ａがベト付くことなく容易に梱包できて便利である。
【００２０】
そして、シリコーン長尺物Ａの切断時には、梱包状態から図１（ｂ）に示す如く蓋体２を取り外し、収納箱１内で被覆シート３を上側から開けてシリコーン長尺物Ａが露出され、この露出状態でシリコーン長尺物Ａをその先端から必要な長さ分だけ切断する。
【００２１】
その後、切断されたシリコーン長尺物Ａの小分け部Ａ′を、収納箱１内に収納される剥離性に優れた小分け袋４に入れて取り出すと共に、残ったシリコーン長尺物Ａを被覆シート３で再度包み込み、蓋体２で被蓋して梱包し直す。
【００２２】
それにより、収納箱１内からシリコーン長尺物Ａを外へ出さずに切断作業が行えると共に、切断した小分け部Ａ′及び残ったシリコーン長尺物Ａが収納箱１外の雰囲気に触れることなく小分けされる。
その結果、切断した小分け部Ａ′及び残ったシリコーン長尺物Ａにホコリや汚れなどの異物が付着するのを完全に防止できると共に、切断した小分け部Ａ′を衛生的なまま購入者に手渡せる。
しかも小分け袋４は剥離性に優れるから、切断した小分け部Ａ′がベト付くことなく容易に収納できて便利である。
【００２３】
更に本実施例の場合には、収納箱１内で被覆シート３を上側から開ければ、最上位に位置するレコード巻き部Ａ１の全体と、該レコード巻き部Ａ１に印字された検尺マーク５が隠れずに露出し、この検尺マーク５に基づいて切断する。
【００２４】
それにより、シリコーン長尺物Ａがメジャーで計測せずに切断可能となる。
その結果、シリコーン長尺物Ａを容易に切断できるという利点がある。
更にまた、被覆シート３及び小分け袋４が透明なので、これらを透して環状のシリコーン長尺物Ａや切断した小分け部Ａ′を目視でき、確認のために開ける必要がなくて便利であるという利点もある。
【００２５】
尚、前示実施例では、平面矩形の収納箱１と蓋体２とが分離可能に別々に形成され、その内部に矩形の透明な被覆シート３で風呂敷状に包み込んだシリコーン長尺物Ａが収納される場合を示したが、これに限定されず、例えば一枚の段ホール紙の両端部に収納箱１と蓋体２を夫々折り込むことにより、収納箱１及び蓋体２がその一端部で連続するように形成したり、収納箱１と蓋体２を平面円形や多角形に形成するなど、図示したもの以外の形状であっても良い。
【００２６】
更に、前記被覆シート３も収納箱１内で開口可能であれば、矩形の被覆シート３の四隅部分を結び易くするため、その四隅部分に結び用突出部を夫々一体に突設したり、上端開口部の大きな上下深さ寸法が浅いチャック付き袋であっても良い。
【００２７】
【発明の効果】
以上説明したように、本発明のうち請求項１記載の発明は、梱包時には環状のシリコーン長尺物Ａを剥離性に優れた被覆シート３で包み込み、収納箱１の内部１ｂに収納して蓋体２で被蓋することにより、シリコーン長尺物Ａが二重梱包され、また切断時には蓋体２を取り外し、収納箱１内で被覆シート３を上側から開けてシリコーン長尺物Ａを露出させ、この露出状態でシリコーン長尺物Ａを切断すると共に、残ったシリコーン長尺物Ａを被覆シート３で再度梱包し直すことにより、収納箱１内からシリコーン長尺物Ａを外へ出さずに切断作業が行え、しかも残ったシリコーン長尺物Ａが収納箱１外の雰囲気に触れないので、梱包状態でシリコーン長尺物にホコリや汚れなどの異物が付着するのを完全に防止しながら、切断した小分け部及び残ったシリコーン長尺物にホコリや汚れなどの異物が付着するのを完全に防止できる。
従って、環状のシリコーン長尺物をダンボール箱及びビニール袋の内部から外部へ取り出して切断する従来のものに比べ、簡単な切断作業でシリコーン長尺物を衛生的に保てると共に、切断場所を選ぶことなく何処でも切断できて作業性に優れる。
更に被覆シートは剥離性に優れるから、シリコーン長尺物Ａがベト付くことなく容易に梱包できて便利である。
それに加えて、切断された小分け部Ａ′を、収納箱１内に収納される剥離性に優れた小分け袋４に入れることにより、小分け部Ａ′が収納箱１外の雰囲気に触れることなく小分けされるので、切断した小分け部にホコリや汚れなどの異物が付着せずに外部へ取り出せる。
従って、切断した小分け部を衛生的なまま購入者に手渡せる。
更に小分け袋は剥離性に優れるから切断した小分け部がベト付くことなく容易に収納できて便利である。
【００２９】
請求項２の発明は、上述した「包状態でシリコーン長尺物にホコリや汚れなどの異物が付着するのを完全に防止しながら、切断した小分け部及び残ったシリコーン長尺物にホコリや汚れなどの異物が付着するのを完全に防止できる」という効果に加えて、収納箱１内で被覆シート３を上側から開けることにより、最上位のレコード巻き部Ａ１全体と、それに印字した検尺マーク５が隠れずに露出し、この検尺マーク５に基づいて切断すれば、シリコーン長尺物Ａがメジャーで計測せずに切断可能となるので、シリコーン長尺物を容易に切断できる。
従って、切断作業の作業性を更に向上できる。
【図面の簡単な説明】
【図１】  本発明の一実施例を示すシリコーン長尺物の梱包形態の斜視図であり、（ａ）は梱包状態を一部切欠して示し、（ｂ）は切断状態を示している。
【図２】  シリコーン長尺物の巻き付け方を説明する斜視図である。
【符号の説明】
Ａ  シリコーン長尺物                Ａ′  小分け部
Ａ１，Ａ２，Ａ３…  レコード巻き部  １  収納箱
１ａ  上面開口部                    １ｂ  内部（内部空間）
２  蓋体                            ３  被覆シート
４  小分け袋                        ５  検尺マーク
【図１】
0003985862.tif 000002
【図２】
0003985862.tif 000003